(57)【要約】      （修正有）【課題】組立て作業の容易な構造の外付けハードディスク装置を提供する。【解決手段】治具２００は、プリント基板とされた基板部に信号コネクタ等が実装されたプリント回路板とされ、主回路実装基板２０との接触部２０２に信号ラインの接触ピン（導電部）とグランドラインの接触ピン（導電部）２０４ａとを少なくとも有する。一方、主回路実装基板２０は、治具挿入部に挿入された治具の信号ラインの接触ピンを接触させる信号端子２６ａと、治具挿入部に治具２００が挿入されるときに信号ラインの接触ピンと信号端子２６ａとが接触するよりも先にグランドラインの接触ピン２０４ａと接触するグランド端子２７ａとを接触面２５に少なくとも有する。治具の接触部２０２を主回路実装基板の接触面２５に向けて治具２００を治具挿入部に挿入すると、接触ピン２０４ａ等がそれぞれ端子２６ａ，２７ａ，２８ａに接触して電気的に接続される。【選択図】図１６
2011008911.tif 000002
【特許請求の範囲】
【請求項１】
外付けされるハードディスク装置であって、
信号を送受するドライブ用信号接続部を有するハードディスクドライブと、
該ハードディスクドライブに対する信号を送受する主回路用信号接続部と、該ハードディスクドライブの動作及び外部機器に対する信号の送受を制御する回路とを有する主回路実装基板と、
該主回路実装基板を固定するとともに、前記ハードディスクドライブを前記主回路実装基板に並行する挿入方向へスライドさせて収容する収容部材と、
前記ドライブ用信号接続部と接続して信号を送受するドライブ側信号接続部と、前記主回路用信号接続部と嵌合して信号を送受する主回路側信号接続部とを有し、前記ドライブ側信号接続部と前記主回路側信号接続部との間で信号を送受する副回路実装基板と、
前記ハードディスクドライブを固定するとともに、該ハードディスクドライブの挿入方向とは反対方向に前記副回路実装基板を固定する固定部材とを備え、
前記主回路実装基板において前記ハードディスクドライブの挿入側とは反対側の縁部に前記主回路用信号接続部が設けられ、
前記ハードディスクドライブがスライドして前記収容部材に収容された時点で前記主回路用信号接続部と前記主回路側信号接続部とが嵌合して接続されることを特徴とするハードディスク装置。
【請求項２】
前記主回路用信号接続部は、前記主回路実装基板において前記ハードディスクドライブの挿入側とは反対側の縁部の一部が該ハードディスクドライブの挿入方向とは反対方向へ延出して形成され、
前記主回路側信号接続部は、前記副回路実装基板に実装されたコネクタであって前記挿入方向とは反対方向へ凹んで前記主回路用信号接続部を挿入させて嵌合させるコネクタとされていることを特徴とする請求項１に記載のハードディスク装置。
【請求項３】
前記ハードディスクドライブの挿入方向とは反対方向の表面に表示パネルが設けられ、該表示パネルに並行する向きで該表示パネルの裏側に前記副回路実装基板が配置され、前記表示パネルで表示を行うための表示素子が前記副回路実装基板の表面に直接実装されている請求項１又は請求項２に記載のハードディスク装置。
【請求項４】
電源接続部から電力を供給する電源ユニットが設けられ、
前記副回路実装基板が前記電源接続部と接続して前記電源ユニットの電力を入力して前記ドライブ側信号接続部と前記主回路側信号接続部とに供給し、
前記ハードディスクドライブが前記ドライブ用信号接続部から前記電源ユニットの電力を入力して動作し、
前記主回路実装基板が前記主回路用信号接続部から前記電源ユニットの電力を入力して動作する請求項１又は請求項２に記載のハードディスク装置。
【請求項５】
前記収容部材は、前記主回路実装基板に対向して該主回路実装基板との間に前記ハードディスクドライブを配置させる基部と、前記ハードディスクドライブを挟む位置で前記基部における前記挿入方向に対する幅方向の両側縁部から前記主回路実装基板に向けて延出した第一及び第二の延出部と、該第一及び第二の延出部の先端部から延出して前記主回路実装基板をねじ止め可能な第一及び第二の主回路実装基板固定部と、前記第一及び第二の延出部から互いに対向する方向へ延出して前記ハードディスクドライブのスライド位置を前記基部に接触させる位置にさせる第一及び第二のガイド部と、前記挿入方向へスライドする前記ハードディスクドライブを所定の位置で停止させるストッパ部とを備えることを特徴とする請求項１又は請求項２に記載のハードディスク装置。
【請求項６】
前記ハードディスクドライブ、前記主回路実装基板及び前記副回路実装基板に電力を供給する電源ユニットが前記収容部材における前記挿入方向に対する幅方向の一方の外側に設けられ、前記電源ユニットを前記収容部材の上側に配置させる形状の筐体が設けられるとともに、前記ハードディスクドライブの挿入方向と並行する方向へ前記筐体内の空気を移動させるファンが設けられている請求項１又は請求項２に記載のハードディスク装置。
【請求項７】
前記ドライブ側信号接続部は、前記ドライブ用信号接続部に挿入して嵌合するコネクタであって前記副回路実装基板において前記ハードディスクドライブに対向する面に実装されたコネクタとされ、
前記固定部材は、前記副回路実装基板を前記ハードディスクドライブの挿入方向とは略垂直な向きとして固定可能な副回路実装基板固定部と、前記ドライブ用信号接続部と前記ドライブ側信号接続部とが嵌合した状態で前記ハードディスクドライブにおける前記主回路実装基板に対向する面を固定可能なドライブ固定部とを備えることを特徴とする請求項１又は請求項２に記載のハードディスク装置。
【請求項８】
前記主回路実装基板との接触部に信号ラインの導電部とグランドラインの導電部とを少なくとも有する治具を先端部から挿入させて前記主回路実装基板に接触させる治具挿入部が設けられ、
前記主回路実装基板は、前記治具挿入部に挿入された前記治具の信号ラインの導電部を接触させる信号端子と、前記治具挿入部に前記治具が挿入されるときに前記信号ラインの導電部と前記信号端子とが接触するよりも先に前記グランドラインの導電部と接触するグランド端子とを少なくとも有することを特徴とする請求項１又は請求項２に記載のハードディスク装置。
【請求項９】
前記治具が前記接触部に電源ラインの導電部を有し、
前記主回路実装基板は、前記治具挿入部に前記治具が挿入されるときに前記信号ラインの導電部と前記信号端子とが接触するよりも先、かつ、前記グランドラインの導電部と前記グランド端子とが接触するよりも後に前記電源ラインの導電部と接触する電源端子を有することを特徴とする請求項８に記載のハードディスク装置。
【請求項１０】
外付けされるハードディスク装置であって、
電源接続部から電力を供給する電源ユニットと、
該電源ユニットの電力を入力して信号を送受するドライブ用信号接続部を有するハードディスクドライブと、
前記電源ユニットの電力を入力して前記ハードディスクドライブに対する信号を送受する主回路用信号接続部と、該ハードディスクドライブの動作及び外部機器に対する信号の送受を制御する回路とを有する主回路実装基板と、
該主回路実装基板を固定するとともに、前記ハードディスクドライブを前記主回路実装基板に並行する挿入方向へスライドさせて収容する収容部材と、
前記ハードディスクドライブの挿入方向とは反対方向の表面に設けられた表示パネルと、
前記電源接続部と接続して前記電源ユニットの電力を入力する電源側コネクタと、前記ドライブ用信号接続部と嵌合して前記電源ユニットの電力を供給し信号を送受するドライブ側コネクタと、前記主回路用信号接続部と嵌合して前記電源ユニットの電力を供給し信号を送受する主回路側コネクタと、直接実装した表示素子とを有し、前記ドライブ側コネクタと前記主回路側コネクタとの間で信号を送受する副回路実装基板と、
前記表示素子を前記表示パネルの裏側に対向させて該表示パネルの裏側に前記副回路実装基板を固定するとともに、前記ハードディスクドライブを固定する固定部材とを備え、
前記収容部材は、前記主回路実装基板に対向して該主回路実装基板との間に前記ハードディスクドライブを配置させる基部と、前記ハードディスクドライブを挟む位置で前記基部における前記挿入方向に対する幅方向の両側縁部から前記主回路実装基板に向けて延出した第一及び第二の延出部と、該第一及び第二の延出部の先端部から延出して前記主回路実装基板を固定可能な第一及び第二の主回路実装基板固定部と、前記第一及び第二の延出部から互いに対向する方向へ延出して前記ハードディスクドライブのスライド位置を前記基部に接触させる位置にさせる第一及び第二のガイド部と、前記挿入方向へスライドする前記ハードディスクドライブを所定の位置で停止させるストッパ部とを有し、
前記固定部材は、前記表示パネルに並行する向きで前記副回路実装基板を固定可能な副回路実装基板固定部と、前記ドライブ用信号接続部と前記ドライブ側コネクタとが嵌合した状態で前記ハードディスクドライブにおける前記主回路実装基板に対向する面を固定可能なドライブ固定部とを有し、
前記主回路実装基板において前記ハードディスクドライブの挿入側とは反対側の縁部の一部が該ハードディスクドライブの挿入方向とは反対方向へ延出して前記主回路用信号接続部が形成され、
前記主回路側コネクタが前記挿入方向とは反対方向へ凹んで前記主回路用信号接続部を挿入させて嵌合させるコネクタとされ、
前記ハードディスクドライブが前記挿入方向へスライドして前記収容部材に収容された時点で前記主回路用信号接続部と前記主回路側コネクタとが嵌合して接続されることを特徴とするハードディスク装置。
【請求項１１】
外付けされるハードディスク装置の製造方法であって、
信号を送受するドライブ用信号接続部を有するハードディスクドライブに対する信号を送受する主回路用信号接続部と、該ハードディスクドライブの動作及び外部機器に対する信号の送受を制御する回路とを有する主回路実装基板と、
該主回路実装基板を固定するとともに、前記ハードディスクドライブを前記主回路実装基板に並行する挿入方向へスライドさせて収容する収容部材と、
前記ドライブ用信号接続部と接続して信号を送受するドライブ側信号接続部と、前記主回路用信号接続部と嵌合して信号を送受する主回路側信号接続部とを有し、前記ドライブ側信号接続部と前記主回路側信号接続部との間で信号を送受する副回路実装基板と、
前記ハードディスクドライブの挿入方向とは反対方向に前記副回路実装基板を固定する固定部材と
を備え、前記主回路実装基板において前記ハードディスクドライブの挿入側とは反対側の縁部に前記主回路用信号接続部が設けられた空のハードディスク装置の前記主回路用信号接続部と前記主回路側信号接続部とを前記ハードディスクドライブがスライドして前記収容部材に収容された時点で嵌合させて接続する位置に設け、前記ドライブ用信号接続部と前記ドライブ側信号接続部とを接続して前記固定部材に前記ハードディスクドライブを固定し、前記ハードディスクドライブをスライドさせて前記収容部材に収容することにより、ハードディスク装置を製造することを特徴とするハードディスク装置の製造方法。
【発明の詳細な説明】
【技術分野】
【０００１】
本発明は、ハードディスクドライブを備える外付けハードディスク装置及びその製造方法に関する。
【背景技術】
【０００２】
コンパクトタイプの外付けハードディスク装置は、信号ケーブルでパーソナルコンピュータ等に接続されて使用されている。この種のハードディスク装置の組立て作業を行う際、ハードディスク装置の筐体の中にハードディスクドライブ（ＨＤＤ）を固定する作業が行われる。小型のハードディスク装置では、前面に表示部が設けられ、背面に信号ケーブルのコネクタ等が設けられる。従って、筐体の側面部を外した状態でＨＤＤを側面から収容し、ＨＤＤと実装基板とに電源ケーブルや信号ケーブルを接続し、板金等にねじ止めし、外していた側面部を残りの筐体にねじ止めすることにより、ハードディスク装置が組立てられる。
【０００３】
実用新案登録第３０６６８６２号公報記載の外付けハードディスク装置では、ＨＤＤの外縁四周に固定ブロックをねじ止めし、ＨＤＤをねじ止めした固定ブロックを軟性保護パッドで被包し、これらをベースシートと上蓋との間に収容してベースシートと上蓋とをねじ止めすることにより、組立て作業が行われる。同公報記載のハードディスク装置を立てた状態にすると、ＨＤＤはハードディスク装置の側面から収容されることになる。
実用新案登録第３１１９３６２号公報には、収容ケースに振動吸収材を内装しておき、ねじを緩めてケース本体に取り付けられたケース蓋を外し、ケース本体にＨＤＤを嵌め込み、ケース蓋をケース本体にねじ止めして収容ケースにＨＤＤを収容することが記載されている。同公報記載のハードディスク装置も、立てた状態にすると、ＨＤＤはハードディスク装置の側面から収容されることになる。
【先行技術文献】
【特許文献】
【０００４】
【特許文献１】実用新案登録第３０６６８６２号公報
【特許文献２】実用新案登録第３１１９３６２号公報
【発明の概要】
【発明が解決しようとする課題】
【０００５】
ＨＤＤは、衝撃に対して弱いため、板金製フレームなど剛性の高い固定用部材にねじ止めしたうえでハードディスク装置の筐体内に収容する必要がある。また、ＨＤＤ収容時に狭い筐体内でＨＤＤや実装基板に電源ケーブルや信号ケーブルを接続する必要もある。さらに、筐体の側面部は、面積が大きいため、残りの筐体にねじ止めするためには多くの箇所でねじ止めする必要がある。上述した技術では、ハードディスク装置の筐体内にＨＤＤを組み付ける際、筐体の側面部からＨＤＤを筐体内に入れ、ＨＤＤや実装基板に電源ケーブルや信号ケーブルに接続し、固定用部材にＨＤＤをねじ止めし、筐体の側面部を残りの筐体にねじ止めする必要がある。従って、多くのケーブル接続作業や多くのねじ止め作業を行う必要がある。
また、ＨＤＤが衝撃に対して弱いことから、ＨＤＤだけ組付けていない空のハードディスク装置をＨＤＤの納入場所に納入し、ＨＤＤを空のハードディスク装置に組付けることが考えられる。この場合には、多くのねじを外して筐体の側面部を開ける作業も行う必要があるため、さらに多くのねじ止め作業を行う必要がある。
【０００６】
本発明は、上記課題に鑑みてなされたもので、組立て作業の容易な構造の外付けハードディスク装置及びその製造方法の提供を目的とする。
【課題を解決するための手段】
【０００７】
上記目的を達成するため、本発明は、外付けされるハードディスク装置であって、
信号を送受するドライブ用信号接続部を有するハードディスクドライブと、
該ハードディスクドライブに対する信号を送受する主回路用信号接続部と、該ハードディスクドライブの動作及び外部機器に対する信号の送受を制御する回路とを有する主回路実装基板と、
該主回路実装基板を固定するとともに、前記ハードディスクドライブを前記主回路実装基板に並行する挿入方向へスライドさせて収容する収容部材と、
前記ドライブ用信号接続部と接続して信号を送受するドライブ側信号接続部と、前記主回路用信号接続部と嵌合して信号を送受する主回路側信号接続部とを有し、前記ドライブ側信号接続部と前記主回路側信号接続部との間で信号を送受する副回路実装基板と、
前記ハードディスクドライブを固定するとともに、該ハードディスクドライブの挿入方向とは反対方向に前記副回路実装基板を固定する固定部材とを備え、
前記主回路実装基板において前記ハードディスクドライブの挿入側とは反対側の縁部に前記主回路用信号接続部が設けられ、
前記ハードディスクドライブがスライドして前記収容部材に収容された時点で前記主回路用信号接続部と前記主回路側信号接続部とが嵌合して接続されることを特徴とする。
【０００８】
また、本発明は、外付けされるハードディスク装置の製造方法であって、
信号を送受するドライブ用信号接続部を有するハードディスクドライブに対する信号を送受する主回路用信号接続部と、該ハードディスクドライブの動作及び外部機器に対する信号の送受を制御する回路とを有する主回路実装基板と、
該主回路実装基板を固定するとともに、前記ハードディスクドライブを前記主回路実装基板に並行する挿入方向へスライドさせて収容する収容部材と、
前記ドライブ用信号接続部と接続して信号を送受するドライブ側信号接続部と、前記主回路用信号接続部と嵌合して信号を送受する主回路側信号接続部とを有し、前記ドライブ側信号接続部と前記主回路側信号接続部との間で信号を送受する副回路実装基板と、
前記ハードディスクドライブの挿入方向とは反対方向に前記副回路実装基板を固定する固定部材と
を備え、前記主回路実装基板において前記ハードディスクドライブの挿入側とは反対側の縁部に前記主回路用信号接続部が設けられた空のハードディスク装置の前記主回路用信号接続部と前記主回路側信号接続部とを前記ハードディスクドライブがスライドして前記収容部材に収容された時点で嵌合させて接続する位置に設け、前記ドライブ用信号接続部と前記ドライブ側信号接続部とを接続して前記固定部材に前記ハードディスクドライブを固定し、前記ハードディスクドライブをスライドさせて前記収容部材に収容することにより、ハードディスク装置を製造することを特徴とする。
【０００９】
副回路実装基板を固定した固定部材にハードディスクドライブを固定し、該ハードディスクドライブをスライドさせて収容部材に収容すると、同時に主回路用信号接続部と主回路側信号接続部とが嵌合して接続される。これにより、ハードディスクドライブと実装基板とを接続するための電源ケーブルや信号ケーブルが不要になり、ケーブル接続作業が不要になる。
また、ハードディスク装置においてハードディスクドライブの挿入側とは反対側の部分は、側面部よりも面積が小さいため、ねじ止め等の固定作業を行う箇所が少なくて済む。
上記収容部材がハードディスクドライブをスライドさせて収容することには、収容部材がハードディスクドライブを収容した後に該ハードディスクドライブがねじ等により固定されることも含まれる。
【発明の効果】
【００１０】
請求項１に係る発明によれば、組立て作業の容易な構造の外付けハードディスク装置を提供することができる。
請求項２に係る発明では、ハードディスクドライブと主回路実装基板との位置ずれを容易に吸収することができる。また、主回路用信号接続部に別部品が不要となるので、主回路実装基板を形成する部品の数を少なくさせることができ、製造コストを低減させることができる。
請求項３に係る発明では、表示素子から表示パネルへ光を導く導光材が不要となるので、表示パネルで表示を行うための部品の数を少なくさせることができ、製造コストを低減させるハードディスク装置を提供することができる。
【００１１】
請求項４に係る発明では、副回路実装基板に電源ユニットが接続されるだけでハードディスクドライブと主回路実装基板とに電力が供給されるので、さらに容易に組立て可能なハードディスク装置を提供することができる。
請求項５に係る発明では、ハードディスクドライブをスライドさせて収容する好適な構造のハードディスク装置を提供することができる。
請求項６に係る発明では、電源ユニットからの熱がハードディスクドライブの方向へ伝わりにくいので、動作の安定性を向上させることができる。
【００１２】
請求項７に係る発明では、ハードディスクドライブのドライブ用信号接続部に副回路実装基板のドライブ側信号接続部が嵌合した状態でハードディスクドライブが固定部材に固定されるので、さらに容易に組立て可能なハードディスク装置を提供することができる。
請求項８に係る発明では、ハードディスク装置のメンテナンスを行う等のための治具を治具挿入部に挿入する際にハードディスク装置等の誤動作を防止することができる。
請求項９に係る発明では、治具を治具挿入部に挿入する際にハードディスク装置等の誤動作をより確実に防止することができる。
請求項１０に係る発明では、製造コストを低減させ、組立て作業の容易な構造の外付けハードディスク装置を提供することができる。
請求項１１に係る発明では、外付けハードディスク装置の組み立て作業を容易にさせる製造方法を提供することができる。
【図面の簡単な説明】
【００１３】
【図１】外付けハードディスク装置の例を示す斜視図。
【図２】図１に示すハードディスク装置の背面を示す背面図。
【図３】図１に示すハードディスク装置の要部を一部分解して示す分解斜視図。
【図４】図１に示すハードディスク装置の要部を分解して示す分解斜視図。
【図５】図１に示すハードディスク装置の要部を分解して示す分解斜視図。
【図６】固定部材にＨＤＤを取り付ける例を示す分解斜視図。
【図７】主回路実装基板の例を示す左側面図。
【図８】収容部材の例を示す斜視図。
【図９】図８に示す収容部材を同図のＡ１方向から見て示す右側面図。
【図１０】図８に示す収容部材を同図のＡ２方向から見て示す正面図。
【図１１】副回路実装基板の例を示す背面図。
【図１２】固定部材の例を示す平面図。
【図１３】図１に示すハードディスク装置の底面を示す底面図。
【図１４】治具の例を示す斜視図。
【図１５】ＨＤＤを収容部材に収容する例を示す分解斜視図。
【図１６】治具挿入部に治具を挿入した様子の例を示す正面図。
【発明を実施するための形態】
【００１４】
（１）外付けハードディスク装置の構成：
図１と図２は本発明の一実施形態に係る外付けハードディスク装置１００の外観を示す図、図３−図５はハードディスク装置１００の要部を分解して示す分解斜視図、図６は固定部材５０にハードディスクドライブ１０を取り付ける様子を示す分解斜視図、図７は主回路実装基板２０の実装面２０ａを示す左側面図、図８は収容部材３０の外観を示す斜視図、図９は収容部材３０を図８のＡ１方向から見て示す右側面図、図１０は収容部材３０を図８のＡ２方向から見て示す正面図、図１１は副回路実装基板４０の裏面４０ｂを示す背面図、図１２は固定部材５０を上から見て示す平面図、図１３はハードディスク装置１００の底面を示す底面図である。なお、図５では、分かりやすく説明するため、固定部材５０に対するハードディスクドライブ１０の位置をずらして示している。また、ハードディスクドライブをＨＤＤと記載する。
【００１５】
本発明を適用可能なハードディスク装置は、外付けされるハードディスク装置であればよく、図１に示すように信号ケーブルＣＡ１を介して外部機器ＥＸ１に接続される装置１００でもよいし、さらにＬＡＮ（Local Area Network）等のネットワークを介して外部機器に接続されるネットワーク接続ストレージ（Network Attached Storage）でもよい。外部機器には、パーソナルコンピュータやＰＤＡ（Personal Digital Assistant）等の端末等が用いられる。信号ケーブルＣＡ１は、ハブ（Hub）等の集線装置に接続されてもよい。ハードディスク装置と外部機器とのインターフェイスには、ＵＳＢ（Universal Serial Bus）規格やシリアルＳＣＳＩ（Serial Small Computer System Interface）規格等のシリアルインターフェイス、ＳＣＳＩ規格等のパラレルインターフェイス、等が用いられる。
図１に示すように、本ハードディスク装置１００は、前面に表示パネル７４が設けられ、上下左右が筐体６０で囲まれている。図２に示すように、本ハードディスク装置１００の背面には、電源コード（例えばＡＣ１００Ｖ用の電源コード）を接続するための電源コネクタ８２や、装置内の熱を外部に出すための通気口８６の他、信号ケーブルＣＡ１を接続するための信号コネクタ８４が設けられている。
【００１６】
本ハードディスク装置１００の基本部分は、ＨＤＤ１０、主回路実装基板２０、収容部材３０、副回路実装基板４０、固定部材５０、からなる。本ハードディスク装置１００は、これらの各部を囲む筐体６０を備え、さらに、電源ユニット７２、表示パネル７４、ファン７６、風量調整部材７８、等を備えている。まず、本ハードディスク装置１００の基本部分を説明する。
ＨＤＤ１０は、図５等に示すように、副回路実装基板４０と信号を送受するドライブ用信号接続部１２を有している。
主回路実装基板２０は、図７等に示すように、ＨＤＤ１０に対する信号を送受する主回路用信号接続部２４と、ＨＤＤ１０の動作及び外部機器ＥＸ１に対する信号の送受を制御する制御回路２２とを有している。
【００１７】
収容部材３０は、図４等に示すように、主回路実装基板２０を固定するとともに、ＨＤＤ１０を主回路実装基板２０に並行する後方向Ｄ１へスライドさせて収容する。
副回路実装基板４０は、図１１等に示すように、ドライブ用信号接続部１２と接続して信号を送受するドライブ側信号接続部４５と、主回路用信号接続部２４と嵌合して信号を送受する主回路側信号接続部４６とを有し、ドライブ側信号接続部４５と主回路側信号接続部４６との間で信号を送受する。
固定部材５０は、図１２等に示すように、ＨＤＤ１０を固定するとともに、ＨＤＤ１０の挿入方向Ｄ１とは反対の引出方向Ｄ２に副回路実装基板４０を固定する。
【００１８】
ここで、図７に示すように、主回路実装基板２０においてＨＤＤ１０の挿入側とは反対側の縁部２０ｃには、主回路用信号接続部２４が設けられている。そして、ＨＤＤ１０がスライドして収容部材３０に収容された時点で主回路用信号接続部２４と主回路側信号接続部４６とが嵌合して接続される。このように、ＨＤＤ１０の収容と同時に両信号接続部２４，４６が嵌合して接続されるので、ＨＤＤと実装基板とを接続するための電源ケーブルや信号ケーブルが不要になり、ケーブル接続作業が不要になる。また、ハードディスク装置１００においてＨＤＤ１０の引出側となる前面部は側面部よりも面積が小さいため、ねじ止め等の固定作業を行う箇所が少なくて済む。
【００１９】
電源ユニット７２は、電源コネクタ８２から商用電源（例えばＡＣ１００Ｖ）の電力の供給を受け、電源接続部７３からＨＤＤ１０、主回路実装基板２０及び副回路実装基板４０に電力を供給する。電源ユニット７２は、図３に示すように、収容部材３０の上側、すなわち、収容部材３０における挿入方向とは反対方向Ｄ２に対する幅方向Ｄ３の一方の外側に設けられている。電源接続部７３には、例えば、図３に示すように、副回路実装基板の電源側コネクタ４４と嵌合して接続される電源供給コネクタが用いられる。
【００２０】
ＨＤＤ１０は、収容部材３０に対して両側面１０ｃ，１０ｄと上面１０ｅと下面１０ｆとを接触させながら図８に示すスライド位置Ｌ１に沿って挿入方向Ｄ１及び引出方向Ｄ２（挿入方向Ｄ１の反対方向）へスライド可能とされている。ＨＤＤの前面１０ａに設けられたドライブ用信号接続部１２は、電源ユニット７２の電力を入力して信号を送受する。ＨＤＤ１０は、信号接続部１２から電源ユニット７２の電力を入力して動作する。ＨＤＤ１０と副回路実装基板４０とで送受する信号には、例えば、ＳＡＴＡ（Serial AT Attachment）規格等のシリアルの信号、ＡＴＡ規格等のパラレルの信号、等が用いられる。ＨＤＤの信号接続部１２と副回路実装基板のドライブ側信号接続部４５には、ＳＡＴＡ規格等の信号コネクタ等が用いられる。本実施形態のドライブ用信号接続部１２は、挿入方向Ｄ１へ凹んで信号接続部４５を挿入させて嵌合させるコネクタとされ、本体部１１の前面に固定されている。
また、本体部１１の左側面には、固定部材５０を取り付けるためのねじ穴１１ａが形成されている。
【００２１】
主回路実装基板２０は、プリント基板とされた基板部２１に種々の電子部品が実装されたプリント回路板とされている。主回路実装基板２０に形成されたプリント回路は、外部機器ＥＸ１に対する信号の送受及びＨＤＤ１０の動作を制御する制御回路２２を有している。主回路実装基板の主回路用信号接続部２４は、電源ユニット７２の電力を入力してＨＤＤ１０に対する信号を送受する。主回路実装基板２０は、信号接続部２４から電源ユニット７２の電力を入力して動作する。信号接続部２４で送受される信号には、上述したＳＡＴＡ規格等の信号が用いられる。なお、信号接続部２４の形状は、ＳＡＴＡ規格等に合わせる必要は無い。本信号接続部２４は、主回路実装基板２０においてＨＤＤ１０の挿入側とは反対側の縁部（前側縁部２０ｃ）の一部が挿入方向とは反対方向Ｄ２へ延出して形成された端子とされている。このように、主回路用信号接続部に別部品が用いられないので、主回路実装基板を形成する部品の数が少なくなり、ハードディスク装置の製造コストを低減させることができる。
また、主回路実装基板２０の挿入側の縁部（後側縁部２０ｄ）には、信号コネクタ８４等が接続されている。さらに、主回路実装基板２０の四隅には、収容部材３０に対してねじ止めするためのねじ止め用穴２１ａが形成されている。そして、主回路実装基板２０は、実装面２０ａを収容部材３０に向け、裏面２０ｂを筐体側面部材６４に向けて、収容部材３０に固定される。
【００２２】
副回路実装基板４０も、プリント基板とされた基板部４１に種々の電子部品が実装されたプリント回路板とされている。副回路実装基板４０に形成されたプリント回路は、信号接続部４５，４６間の信号の送受及び表示素子４７の表示を制御する制御回路４２を有している。信号接続部４５，４６間で送受される信号には、上述したＳＡＴＡ規格等の信号が用いられる。ドライブ側信号接続部４５には、ＳＡＴＡ規格等の信号コネクタ等が用いられる。主回路側信号接続部４６は、ＳＡＴＡ規格等の信号コネクタ等が用いられてもよいが、ＰＣＩ（Peripheral Component Interconnect） Express規格等の形状の信号コネクタ等が用いられてもよい。
本副回路実装基板４０は、図４、図１１等に示すように、電源接続部７３と接続して電源ユニット７２の電力を入力する電源側コネクタ（電源側接続部）４４と、ドライブ用信号接続部１２と嵌合して電源ユニット７２の電力を供給し信号を送受するドライブ側コネクタ４５（ドライブ側信号接続部）と、主回路用信号接続部２４と嵌合して電源ユニット７２の電力を供給し信号を送受する主回路側コネクタ（主回路側信号接続部）４６と、直接実装した表示素子４７と、直接実装した電源スイッチ４８とを有している。ここで、副回路実装基板４０において表示パネル７４に対向する表面４０ａに表示素子４７と電源スイッチ４８とが実装され、副回路実装基板４０においてＨＤＤ１０に対向する裏面４０ｂにコネクタ４４，４５，４６が実装されている。副回路実装基板４０は、ドライブ側コネクタ４５から電源ユニット７２の電力を入力して動作する。
【００２３】
本実施形態の電源側コネクタ４４は、図３に示すように、副回路実装基板の裏面４０ｂの上部に設けられ、電源ユニットの電源接続部７３と嵌合して接続される。ドライブ側コネクタ４５は、ＨＤＤの信号接続部１２に挿入して該信号接続部１２と接続される。主回路側コネクタ４６は、挿入方向とは反対方向Ｄ２へ凹んで主回路用信号接続部２４を挿入させて嵌合させる。このように、主回路側コネクタ４６が主回路用信号接続部２４を挿入させて該信号接続部２４と接続するので、ハードディスク装置の各部の寸法ばらつきや組立て時の組立て位置のばらつきが容易に吸収される。これにより、ＨＤＤを収容部材に収容するときに、ＨＤＤの信号接続部１２と副回路実装基板のドライブ側コネクタ４５とに過度の力が加わらない。
【００２４】
表示素子４７は、表示パネル７４で表示を行うために光を放出する電子部品とされ、表示パネル７４の表示部７５ａの位置に合わせて副回路実装基板表面４０ａに直接半田付けされる。表示素子には、ＬＥＤ（発光ダイオード）等が用いられる。電源スイッチ４８は、ハードディスク装置１００の動作をオンにするかオフにするかを切り替えるための操作スイッチとされ、表示パネル７４の操作部７５ｂの位置に合わせて副回路実装基板表面４０ａに直接半田付けされる。電源スイッチには、押しボタン式のスイッチ等が用いられる。
また、副回路実装基板４０には、固定部材５０に対してねじ止めするためのねじ止め用穴４１ａが複数形成されている。そして、副回路実装基板４０は、表面４０ａを表示パネル７４に向け、裏面４０ｂを固定部材５０に向けて、表示パネル７４に並行する向きで表示パネル７４の裏側に配置され、固定部材５０に固定される。これにより、表示素子から表示パネルへ光を導く導光材が不要となり、表示パネルの操作部から電源スイッチへ押圧操作を伝える棒状部材も不要とすることも可能となる。従って、表示パネルで表示を行うための部品の数が少なくなり、ハードディスク装置の製造コストを低減させることができる。
【００２５】
上記表示パネル７４は、ＨＤＤの挿入方向とは反対方向Ｄ２の表面に設けられている。表示パネルは、樹脂成形材料等を成形することにより形成することができる。表示パネル７４に設けられた表示部７５ａは、透光性を有する材質とされ、表示素子４７からの光を裏面から表面７４ａへ透過させる。むろん、表示部は、表示素子からの光を通過させる貫通穴とされてもよい。表示パネル７４に設けられた操作部７５ｂは、可撓性を有する材質とされ、押圧操作されたときに電源スイッチ４８を押圧する。また、表示パネル７４の下部には、収容部材の延出部３３にねじ止めするためのねじ止め用穴が形成されている。
【００２６】
収容部材３０は、図８−図１０等に示すように、基部３１、第一及び第二の延出部３２，３３、第一及び第二の主回路実装基板固定部３４，３５、第一及び第二のガイド部３６，３７、ストッパ部３８、を少なくとも有し、ねじにより筐体主部材６２に固定される部材とされている。収容部材３０は、主回路実装基板２０を固定しＨＤＤ１０の収容空間ＳＰ１を形成する部材であり、ハードディスク装置の内部構造の基本的骨格を形成するメインフレームとも言うことができる。これらの各部３１−３８が収容部材に設けられると、確実にＨＤＤをスライドさせて収容する構造がハードディスク装置に付与される。
本実施形態の収容部材３０は、さらに背面部３９を有している。
収容部材は、板金をプレス加工する等、金属等を成形することにより形成することができる。
【００２７】
基部３１は、主回路実装基板２０と略平行、すなわち、ＨＤＤ１０及び主回路実装基板２０に並行する向きに配置され、主回路実装基板２０に対向して主回路実装基板２０との間にＨＤＤ１０をスライド可能に配置させる。延出部３２，３３は、ＨＤＤ１０を挟む位置で基部３１における挿入方向Ｄ１に対する幅方向Ｄ３の両側縁部３１ａ，３１ｂから主回路実装基板２０に向けて略平行に延出している。第一の延出部３２の前側縁部には、上方へ折り曲げられた部位にねじ穴３２ｂが形成されている。第二の延出部３３における先端部３３ａの一部には、治具挿入部８０の一部を構成する治具案内部８０ｂが上方へ延出している。第二の延出部３３の前側縁部には、前方へ延出した部位にねじ穴３３ｂが形成されている。また、延出部３２，３３には、ＨＤＤの側面１０ｃ，１０ｄに接触してＨＤＤ１０のがたつきを防ぐ機能を有する膨出部３２ｃ，３３ｃが互いに対向する上下方向へ膨出している。
【００２８】
主回路実装基板固定部３４，３５は、延出部３２，３３の先端部３２ａ，３３ａから互いに近づく上下方向へ延出し、主回路実装基板２０をねじ止め可能とするねじ穴３４ａ，３５ａを有している。ガイド部３６，３７は、長手方向をスライド方向Ｄ１，Ｄ２に向け、延出部３２，３３から互いに対向する上下方向へ延出し、ＨＤＤ１０のスライド位置Ｌ１を基部３１に接触させる所定の位置にさせる。ここで、ＨＤＤの挿入方向Ｄ１側のガイド部３６ａ，３７ａはＨＤＤの右側面１０ｃに接触してＨＤＤ１０をスライド位置Ｌ１にさせ、ＨＤＤの引出方向Ｄ２側のガイド部３６ｂ，３７ｂは固定部材のドライブ固定部延出部５５，５５に接触してＨＤＤ１０をスライド位置Ｌ１にさせる。ストッパ部３８は、第一の延出部３２の後側縁部から第二の延出部３３へ向けて延出し、挿入方向Ｄ１へスライドするＨＤＤ１０を所定の収容位置Ｌ２で停止させる。
背面部３９は、電源コネクタ８２や信号コネクタ８４等を設置するための開口や通気口８６等を有し、基部３１の後側縁部３１ｃから筐体側面部材６４に向けて延出している。
【００２９】
固定部材５０は、図４、図１２等に示すように、ドライブ固定部５１、副回路実装基板固定部５４、を少なくとも有し、表示素子４７を表示パネル７４の裏側に対向させて表示パネル７４の裏側に副回路実装基板４０を固定するとともに、ＨＤＤ１０を固定する。本実施形態の固定部材５０は、さらに、収容部材との当接部５２、折曲部５３、ドライブ固定部延出部５５，５５、を有している。この意味で、固定部材５０は、ブラケットとも言うことができる。固定部材は、板金をプレス加工する等、金属等を成形することにより形成することができる。
【００３０】
ドライブ固定部５１は、ねじ止め用穴５１ａを有し、主回路実装基板２０と略平行に配置され、ＨＤＤ１０における主回路実装基板２０に対向する右側面１０ｃをねじ止め可能である。当接部５２は、ドライブ固定部５１に対して直交する向きで該ドライブ固定部の前側縁部に設けられ、固定部材５０が収容部材３０に収容されるときに該収容部材３０に当接する。当接部５２には、第一の延出部３２の前側縁部にねじ止めするためのねじ止め用穴５２ａが形成されている。折曲部５３は、当接部５２の右側縁部から前方向Ｄ２へ延出している。副回路実装基板固定部５４は、折曲部５３の先端部から左方向へ延出し、表示パネル７４に並行する向きで副回路実装基板４０をねじ止め可能とするねじ穴５４ａを有している。これにより、副回路実装基板固定部５４は、副回路実装基板４０をＨＤＤの挿入方向Ｄ１とは略垂直な向きとしてねじ止め可能である。ドライブ固定部延出部５５，５５は、ＨＤＤ１０を挟む位置でドライブ固定部５１における挿入方向Ｄ１に対する幅方向Ｄ３の両側縁部から主回路実装基板２０に向けて略平行に延出している。ドライブ固定部延出部５５，５５の先端部は、収容部材のガイド部３６ｂ，３７ｂに接触してＨＤＤ１０をスライド位置Ｌ１にさせる。
そして、ドライブ固定部５１は、ＨＤＤの信号接続部１２と副回路実装基板のコネクタ４５とが嵌合した状態でＨＤＤの右側面１０ｃをねじ止め可能とされている。このように、信号接続部１２，４５が嵌合した状態でＨＤＤ１０が固定部材５０に固定されるので、ハードディスク装置の組立てが容易である。
【００３１】
上述した各部を収容する筐体６０は、図１−図３等に示すように、ハードディスク装置の左側面部と上面部と下面部とを覆う主部材６２と、ハードディスク装置の右側面部を覆う側面部材６４とを有し、電源ユニット７２を収容部材における第一の延出部３２の上側に配置させる形状とされている。主部材６２の上面部と下面部とには側面部材６４に向けて突出したフック６２ａがそれぞれ複数形成され、側面部材６４の内側面には係止用穴が各フック６２ａに対応して形成されている。従って、各フック６２ａを前記各係止用穴に挿入して側面部材６４に係止させると側面部材６４が主部材６２に取り付けられ、各係止用穴から各フック６２ａを抜くと側面部材６４が主部材６２から取り外される。また、主部材６２の上面部には表示パネル７４に向けて突出したフック６２ｂが形成され、表示パネル７４の内側面には係止用穴がフック６２ｂに対応して形成されている。フック６２ｂを前記係止用穴に挿入して表示パネル７４に係止させ、収容部材のねじ穴３３ｂに螺合するねじを用いて表示パネル７４下部を収容部材の延出部３３に固定すると、表示パネル７４がハードディスク装置の前面に固定される。
筐体の各部６２，６４は、樹脂成形材料等を射出成形等により成形したり、板金等の金属をプレス加工等により成形したりすることにより、形成することができる。
【００３２】
筐体６０内の後部で通気口８６の手前に設けられたファン７６は、ＨＤＤの挿入方向Ｄ１と並行する前後方向へ筐体６０内の空気を移動させ、筐体６０内の熱を装置外へ逃がす機能を有する。また、ファン７６の手前に設けられた風量調整部材７８は、電源ユニット７２周辺の空気の流量と収容部材の延出部３２よりも下側の空気の流量との割合を調整する機能を有する。
上述したように、電源ユニット７２が収容部材３０の上側に配置されるので、電源ユニットからの熱がＨＤＤの方向へ伝わりにくく、ハードディスク装置の動作の安定性が向上する。
【００３３】
以上の構成を有するハードディスク装置１００は、固定部材に固定されたＨＤＤ１０が挿入方向Ｄ１へスライドして収容部材３０に収容された時点で主回路実装基板の信号接続部２４と副回路実装基板のコネクタ４６とが嵌合して電気的に接続される。
【００３４】
ところで、図１３に示すように、本ハードディスク装置１００の底面部には、本装置のメンテナンスを行う等のための治具２００を挿入するための治具挿入部８０が開口し、隠しメンテナンスポートが設けられている。本治具挿入部８０は、筐体６０の開口部８０ａと、収容部材の治具案内部８０ｂとから構成され、治具２００を先端部２０２ａから挿入させて主回路実装基板２０に接触させる。治具２００は、図１４に示すように、プリント基板とされた基板部に信号コネクタ２１０等が実装されたプリント回路板とされ、主回路実装基板２０との接触部２０２に信号ライン２０３の接触ピン（導電部）２０３ａとグランドライン２０４の接触ピン（導電部）２０４ａとを少なくとも有する。本実施形態の治具２００は、さらに、接触部２０２に電源ライン２０５の接触ピン（導電部）２０５ａを有する。これらの接触ピン２０３ａ，２０４ａ，２０５ａは治具２００の先端部２０２ａ側に設けられ、治具２００の後端部側に設けられた信号コネクタ２１０を介して外部の検査機器と主回路実装基板２０とがデータを送受することが可能である。この信号コネクタ２１０には、ＵＳＢ規格等のシリアルの信号コネクタを用いることができる。
【００３５】
一方、主回路実装基板２０は、図７に示すように、治具挿入部８０に挿入された治具の信号ラインの接触ピン２０３ａを接触させる信号端子２６ａと、前記治具挿入部８０に前記治具２００が挿入されるときに信号ラインの接触ピン２０３ａと信号端子２６ａとが接触するよりも先にグランドラインの接触ピン２０４ａと接触するグランド端子２７ａとを接触面２５に少なくとも有する。本実施形態の主回路実装基板２０は、さらに、治具挿入部８０に治具２００が挿入されるときに信号ラインの接触ピン２０３ａと信号端子２６ａとが接触するよりも先、かつ、グランドラインの接触ピン２０４ａとグランド端子２７ａとが接触するよりも後に電源ラインの接触ピン２０５ａと接触する電源端子２８ａを接触面２５に有する。基板部２１の縁部から端子２６ａ，２７ａ，２８ａまでの距離をそれぞれｄｓ，ｄｇ，ｄｅとすると、ｄｇ＜ｄｅ＜ｄｓとなるように各端子が形成されている。これらの端子２６ａ，２７ａ，２８ａには、それぞれ、主回路実装基板２０の信号ライン２６、グランドライン２７、電源ライン２８が接続されている。
【００３６】
以上より、治具の接触部２０２を主回路実装基板の接触面２５に向けて治具２００を治具挿入部８０に挿入すると、接触ピン２０３ａ，２０４ａ，２０５ａがそれぞれ端子２６ａ，２７ａ，２８ａに接触して電気的に接続される。
【００３７】
（２）空の外付けハードディスク装置の製造方法：
次に、ハードディスク装置１００からＨＤＤ１０を除いた空のハードディスク装置１０１の製造方法を説明する。
まず、空のハードディスク装置１０１を構成する各部を形成する。ここで、副回路実装基板のドライブ側コネクタ４５は、副回路実装基板４０とＨＤＤ１０とが固定部材５０に固定されるときにＨＤＤの信号接続部１２と嵌合して接続される位置に設けておく。また、主回路実装基板の信号接続部２４と副回路実装基板の信号接続部４６とは、ＨＤＤ１０が挿入方向Ｄ１へスライドして収容部材３０に収容された時点で嵌合して接続される位置に設けておく。
【００３８】
次に、例えば、電源ユニット７２を収容部材３０にねじ止めし、この収容部材３０を筐体主部材６２にねじ止めする。
主回路実装基板２０を収容部材３０に固定する時、図４、図８等に示すように、ねじＳＣ１をねじ止め用穴２１ａに通して収容部材のねじ穴３４ａ，３５ａに螺合させ、主回路実装基板２０を収容部材の主回路実装基板固定部３４，３５にねじ止めする。
その後、例えば、筐体側面部材６４を筐体主部材６２に取り付ける。
【００３９】
副回路実装基板４０を固定部材５０に固定する時、図４、図５等に示すように、ねじＳＣ２をねじ止め用穴４１ａに通して固定部材のねじ穴５４ａに螺合させ、副回路実装基板４０を固定部材の副回路実装基板固定部５４にねじ止めする。なお、図にＨＤＤ１０が描かれているが、副回路実装基板４０を固定部材に固定する時点ではＨＤＤ１０は固定部材５０に固定されていない。
副回路実装基板固定後の固定部材５０を主回路実装基板固定後の収容部材３０に収容する時、該固定部材５０を主回路実装基板２０に並行する挿入方向Ｄ１へスライドさせて収容部材３０に収容する。このとき、固定部材の当接部５２が収容部材３０に突き当たり、挿入方向Ｄ１へスライドする固定部材５０が所定の位置で停止する。また、主回路実装基板の信号接続部２４が副回路実装基板の主回路側コネクタ４６に挿入して嵌合する。そして、図５等に示すように、ねじＳＣ４を固定部材のねじ止め用穴５２ａに通して収容部材のねじ穴３２ｂに螺合させ、固定部材の当接部５２を収容部材の延出部３２にねじ止めすると、固定部材５０が収容部材３０に固定される。
【００４０】
その後、表示パネル７４を筐体６０に取り付け、収容部材の延出部３３にねじ止めすると、空のハードディスク装置１０１が形成される。
なお、上述した製造方法の各工程の順序は、適宜、変更可能である。
【００４１】
（３）外付けハードディスク装置の製造方法：
空のハードディスク装置１０１にＨＤＤ１０を組付ける際には、まず、収容部材の延出部３３に螺合したねじを外して表示パネル７４を筐体６０から取り外す。次に、固定部材の延出部３２に螺合したねじＳＣ４を外して固定部材５０を収容部材３０から引き出す。さらに、副回路実装基板のドライブ側コネクタ４５をＨＤＤの信号接続部１２に挿入して嵌合させ、両信号接続部１２，４５を電気的に接続する。そして、図６に示すように、ねじＳＣ３をねじ止め用穴５１ａに通してＨＤＤのねじ穴１１ａに螺合させ、固定部材のドライブ固定部５１をＨＤＤの右側面１０ｃにねじ止めして、ＨＤＤ１０を固定部材５０に取り付ける。なお、ねじＳＣ３を外せば固定部材からＨＤＤが取り外されるので、ＨＤＤは固定部材に対して着脱可能に固定されることになる。
【００４２】
その後、ＨＤＤ１０を主回路実装基板に並行する挿入方向Ｄ１へスライドさせて収容部材３０に収容する。このとき、ＨＤＤの背面１０ｂが収容部材のストッパ部３８に突き当たるとともに、固定部材の当接部５２が収容部材３０に突き当たり、挿入方向Ｄ１へスライドするＨＤＤ１０が収容位置Ｌ２で停止する。また、主回路実装基板の信号接続部２４が副回路実装基板の主回路側コネクタ４６に挿入して嵌合し、自ずと信号接続部２４，４６が電気的に接続される。
次に、副回路実装基板の電源側コネクタ４４と電源ユニットの電源供給コネクタ７３とを嵌合し、コネクタ４４，７３を電気的に接続する。すると、電源ユニット７２の電力は、まず、副回路実装基板４０に供給され、ドライブ側コネクタ４５からＨＤＤ１０に供給され、主回路側コネクタ４６から主回路実装基板２０に供給される。このように、副回路実装基板に電源ユニットが接続されるだけでＨＤＤと主回路実装基板とに電力が供給されるので、ハードディスク装置を容易に組立てることができる。
【００４３】
そして、図５等に示すように、ねじＳＣ４を用いて固定部材の当接部５２を収容部材の延出部３２にねじ止めすると、１箇所ねじ止めするだけで固定部材５０が収容部材３０に固定される。
その後、表示パネル７４を筐体６０に取り付け、収容部材の延出部３３に１箇所ねじ止めすると、ハードディスク装置１００が形成される。
なお、上述した製造方法の各工程の順序は、適宜、変更可能である。
【００４４】
（４）外付けハードディスク装置及びその製造方法の作用、効果：
以上説明したように、副回路実装基板を固定した固定部材５０にＨＤＤ１０を固定し、このＨＤＤ１０をスライドさせて収容部材５０に収容すると、同時に主回路実装基板の信号接続部２４と副回路実装基板の信号接続部４６とが嵌合して接続される。これにより、ＨＤＤと実装基板とを接続するための電源ケーブルや信号ケーブルが不要になり、ケーブル接続作業が不要になる。
また、ハードディスク装置においてＨＤＤ１０の挿入側とは反対側の部分は、側面部よりも面積が小さいため、ねじ止め等の固定作業を行う箇所が少なくて済む。
従って、本発明によると、組立て作業の容易な構造の外付けハードディスク装置を提供することができ、外付けハードディスク装置の組み立て作業を容易にさせる製造方法を提供することができる。
【００４５】
また、副回路実装基板の主回路側信号接続部４６が主回路用信号接続部２４を挿入させて該信号接続部２４と接続するので、ＨＤＤ１０と主回路実装基板２０との位置ずれが容易に吸収される。これにより、ＨＤＤと副回路実装基板とで嵌合する信号接続部１２，４５に過度な力が加わらない。
さらに、主回路実装基板と副回路実装基板とが分かれているので、ハードディスク装置のラインアップを変更する際、同じ主回路実装基板を用いながら副回路実装基板を変えるだけで容易にラインアップを変更することができる。
【００４６】
なお、図１６に示すように、治具の接触部２０２を主回路実装基板の接触面２５に向けて治具挿入部８０に対して治具２００を挿入方向Ｄ４へ挿入していくと、まず、グランドラインの接触ピン２０４ａとグランド端子２７ａとが接触して電気的に接続され、次に、電源ラインの接触ピン２０５ａと電源端子２８ａとが接触して電気的に接続され、最後に、信号ラインの接触ピン２０３ａと信号端子２６ａとが接触して電気的に接続される。これにより、信号ラインがグランドラインや電源ラインよりも先に接続されたり電源ラインがグランドラインよりも先に接続されたりすることにより電気ノイズが信号ラインに入るような不具合が生じない。従って、ハードディスク装置のメンテナンスを行う等のための治具を治具挿入部に挿入する際にハードディスク装置等の誤動作を防止することができる。なお、このような効果は、グランドラインが信号ラインよりも先に接続されると得られるし、電源ラインが信号ラインよりも先に接続されると得られるし、グランドラインが電源ラインよりも先に接続されると得られる。
【００４７】
以上のことから、本発明は、ハードディスクドライブの動作を制御する実装基板を備えるハードディスク装置であって、
前記実装基板との接触部に信号ラインの導電部とグランドラインの導電部とを少なくとも有する治具を先端部から挿入させて前記実装基板に接触させる治具挿入部が設けられ、
前記実装基板は、前記治具挿入部に挿入された前記治具の信号ラインの導電部を接触させる信号端子と、前記治具挿入部に前記治具が挿入されるときに前記信号ラインの導電部と前記信号端子とが接触するよりも先に前記グランドラインの導電部と接触するグランド端子とを少なくとも有するハードディスク装置と捉えることもできる。
【００４８】
（５）変形例：
ＨＤＤの挿入方向である主回路実装基板に並行する方向は、主回路実装基板と平行な方向以外にも、主回路実装基板と平行な方向からずれた方向でもよい。むろん、主回路実装基板に平行する方向は、直線的な方向以外にも、曲線的な方向でもよい。表示パネル等に並行する方向についても、同様である。
ドライブ用信号接続部、ドライブ側信号接続部、主回路側信号接続部、電源接続部、電源側接続部、は、独立した部品を基板に実装して形成される以外にも、ＨＤＤ自体や実装基板自体に対して分離不能に設けられる一部位でもよい。逆に、主回路用信号接続部は、主回路実装基板自体に対して分離不能に設けられる一部位とされる以外にも、独立した部品を基板に実装して形成されてもよい。例えば、主回路実装基板に実装されるコネクタを主回路用信号接続部とし、該コネクタに嵌合して電気的に接続される主回路側信号接続部を副回路実装基板に形成してもよい。
【００４９】
副回路実装基板は、表示素子と電源スイッチとが実装される以外にも、さらに他の電子部品が実装されてもよいし、表示素子のみ実装されてもよいし、電源スイッチのみ実装されてもよい。むろん、副回路実装基板は、ドライブ側信号接続部と前記主回路側信号接続部との間で信号を送受する回路があれば、表示素子や電源スイッチが実装されなくてもよい。
固定部材は、ねじを併用する上記固定部材５０以外にも、ねじのような固定部品のみでもよい。例えば、ＨＤＤに対して該ＨＤＤの挿入方向とは反対方向に副回路実装基板を固定するねじ等を固定部材とすることができる。
【００５０】
治具を治具挿入部に挿入したときに導電部と信号端子とが接触する時間差を設けるためには、基板部２１の縁部から端子までの距離ｄｓ，ｄｇ，ｄｅを変える以外にも、治具の挿入側の縁部から導電部までの距離を変えてもよい。例えば、治具２００の挿入側の縁部から導電部２０３ａ，２０４ａ，２０５ａまでの距離をそれぞれＤｓ，Ｄｇ，Ｄｅとすると、Ｄｇ＜Ｄｅ＜Ｄｓとなるように各導電部を形成してもよい。
【００５１】
なお、本発明は、上述した実施形態や変形例に限られず、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も含まれる。
【符号の説明】
【００５２】
１０…ハードディスクドライブ、１２…ドライブ用信号接続部、
２０…主回路実装基板、２１…基板部、２２…制御回路、
２４…端子（主回路用信号接続部）、
２５…接触面、２６ａ…信号端子、２７ａ…グランド端子、２８ａ…電源端子、
３０…収容部材、３１…基部、
３２…第一の延出部、３３…第二の延出部、
３４…第一の主回路実装基板固定部、３５…第二の主回路実装基板固定部、
３６…第一のガイド部、３７…第二のガイド部、
３８…ストッパ部、３９…背面部、
４０…副回路実装基板、４１…基板部、４２…制御回路、
４４…電源側コネクタ（電源側接続部）、
４５…ドライブ側コネクタ（ドライブ側信号接続部）、
４６…主回路側コネクタ（主回路側信号接続部）、
４７…表示素子、４８…電源スイッチ、
５０…固定部材、５１…ドライブ固定部、５４…副回路実装基板固定部、
６０…筐体、６２…主部材、６４…側面部材、
７２…電源ユニット、７３…電源供給コネクタ（電源接続部）、
７４…表示パネル、７５ａ…表示部、７５ｂ…操作部、
８０…治具挿入部、
１００…ハードディスク装置、１０１…空のハードディスク装置、
２００…治具、２０２…接触部、２０２ａ…先端部、
２０３…信号ライン、２０３ａ…接触ピン（導電部）、
２０４…グランドライン、２０４ａ…接触ピン（導電部）、
２０５…電源ライン、２０５ａ…接触ピン（導電部）、
２１０…信号コネクタ、
ＣＡ１…信号ケーブル、
Ｄ１…挿入方向、Ｄ２…引出方向、Ｄ３…幅方向、Ｄ４…挿入方向、
ＥＸ１…外部機器、
Ｌ１…スライド位置、Ｌ２…収容位置、
ＳＰ１…収容空間、
【図１】
2011008911.tif 000003
【図２】
2011008911.tif 000004
【図３】
2011008911.tif 000005
【図４】
2011008911.tif 000006
【図５】
2011008911.tif 000007
【図６】
2011008911.tif 000008
【図７】
2011008911.tif 000009
【図８】
2011008911.tif 000010
【図９】
2011008911.tif 000011
【図１０】
2011008911.tif 000012
【図１１】
2011008911.tif 000013
【図１２】
2011008911.tif 000014
【図１３】
2011008911.tif 000015
【図１４】
2011008911.tif 000016
【図１５】
2011008911.tif 000017
【図１６】
2011008911.tif 000018
【手続補正書】
【提出日】平成22年8月20日(2010.8.20)
【手続補正２】
【補正対象書類名】明細書
【補正対象項目名】０００１
【補正方法】変更
【補正の内容】
【０００１】
本発明は、ハードディスクドライブを備えるハードディスク装置に関する。
【手続補正３】
【補正対象書類名】明細書
【補正対象項目名】０００５
【補正方法】変更
【補正の内容】
【０００５】
ハードディスク装置のメンテナンスを行う等のための治具を治具挿入部に挿入することがある。
【手続補正４】
【補正対象書類名】明細書
【補正対象項目名】０００６
【補正方法】変更
【補正の内容】
【０００６】
本発明は、ハードディスク装置のメンテナンスを行う等のための治具を治具挿入部に挿入する際にハードディスク装置等の誤動作を防止すること目的とする。
【手続補正５】
【補正対象書類名】明細書
【補正対象項目名】０００７
【補正方法】変更
【補正の内容】
【０００７】
上記目的を達成するため、本発明は、ハードディスクドライブの動作を制御する実装基板を備えるハードディスク装置であって、
前記実装基板との接触部に信号ラインの導電部とグランドラインの導電部とを少なくとも有する治具を先端部から挿入させて前記実装基板に接触させる治具挿入部が設けられ、
前記実装基板は、前記治具挿入部に挿入された前記治具の信号ラインの導電部を接触させる信号端子と、前記治具挿入部に前記治具が挿入されるときに前記信号ラインの導電部と前記信号端子とが接触するよりも先に前記グランドラインの導電部と接触するグランド端子とを少なくとも有することを特徴とする。
【手続補正６】
【補正対象書類名】明細書
【補正対象項目名】０００８
【補正方法】変更
【補正の内容】
【０００８】
治具挿入部に治具が挿入されるときに信号ラインの導電部と信号端子とが接触するよりも先にグランドラインの導電部とグランド端子とが接触するので、信号ラインがグランドラインよりも先に接続されることにより電気ノイズが信号ラインに入るような不具合が生じない。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
請求項１に係る発明によれば、ハードディスク装置のメンテナンスを行う等のための治具を治具挿入部に挿入する際にハードディスク装置等の誤動作を防止することができる。
【手続補正９】
【補正対象書類名】明細書
【補正対象項目名】００１１
【補正方法】変更
【補正の内容】
【００１１】
請求項２に係る発明では、治具を治具挿入部に挿入する際にハードディスク装置等の誤動作をより確実に防止することができる。
【手続補正１０】
【補正対象書類名】明細書
【補正対象項目名】００１２
【補正方法】削除
【補正の内容】
【手続補正１１】
【補正対象書類名】明細書
【補正対象項目名】００１５
【補正方法】変更
【補正の内容】
【００１５】
ハードディスク装置は、図１に示すように信号ケーブルＣＡ１を介して外部機器ＥＸ１に接続される装置１００でもよいし、さらにＬＡＮ（Local Area Network）等のネットワークを介して外部機器に接続されるネットワーク接続ストレージ（Network Attached Storage）でもよい。外部機器には、パーソナルコンピュータやＰＤＡ（Personal Digital Assistant）等の端末等が用いられる。信号ケーブルＣＡ１は、ハブ（Hub）等の集線装置に接続されてもよい。ハードディスク装置と外部機器とのインターフェイスには、ＵＳＢ（Universal Serial Bus）規格やシリアルＳＣＳＩ（Serial Small Computer System Interface）規格等のシリアルインターフェイス、ＳＣＳＩ規格等のパラレルインターフェイス、等が用いられる。
図１に示すように、本ハードディスク装置１００は、前面に表示パネル７４が設けられ、上下左右が筐体６０で囲まれている。図２に示すように、本ハードディスク装置１００の背面には、電源コード（例えばＡＣ１００Ｖ用の電源コード）を接続するための電源コネクタ８２や、装置内の熱を外部に出すための通気口８６の他、信号ケーブルＣＡ１を接続するための信号コネクタ８４が設けられている。
【手続補正１２】
【補正対象書類名】明細書
【補正対象項目名】００４４
【補正方法】変更
【補正の内容】
【００４４】
（４）外付けハードディスク装置及びその製造方法の作用、効果：
以上説明したように、副回路実装基板を固定した固定部材５０にＨＤＤ１０を固定し、このＨＤＤ１０をスライドさせて収容部材５０に収容すると、同時に主回路実装基板の信号接続部２４と副回路実装基板の信号接続部４６とが嵌合して接続される。これにより、ＨＤＤと実装基板とを接続するための電源ケーブルや信号ケーブルが不要になり、ケーブル接続作業が不要になる。
また、ハードディスク装置においてＨＤＤ１０の挿入側とは反対側の部分は、側面部よりも面積が小さいため、ねじ止め等の固定作業を行う箇所が少なくて済む。
従って、組立て作業の容易な構造の外付けハードディスク装置を提供することができ、外付けハードディスク装置の組み立て作業を容易にさせる製造方法を提供することができる。
【手続補正１３】
【補正対象書類名】明細書
【補正対象項目名】００４７
【補正方法】変更
【補正の内容】
【００４７】
以上のことから、本発明は、ハードディスクドライブの動作を制御する実装基板を備えるハードディスク装置であって、
前記実装基板との接触部に信号ラインの導電部とグランドラインの導電部とを少なくとも有する治具を先端部から挿入させて前記実装基板に接触させる治具挿入部が設けられ、
前記実装基板は、前記治具挿入部に挿入された前記治具の信号ラインの導電部を接触させる信号端子と、前記治具挿入部に前記治具が挿入されるときに前記信号ラインの導電部と前記信号端子とが接触するよりも先に前記グランドラインの導電部と接触するグランド端子とを少なくとも有するハードディスク装置と捉えることができる。
【手続補正１４】
【補正対象書類名】特許請求の範囲
【補正対象項目名】全文
【補正方法】変更
【補正の内容】
【特許請求の範囲】
【請求項１】
ハードディスクドライブの動作を制御する実装基板を備えるハードディスク装置であって、
前記実装基板との接触部に信号ラインの導電部とグランドラインの導電部とを少なくとも有する治具を先端部から挿入させて前記実装基板に接触させる治具挿入部が設けられ、
前記実装基板は、前記治具挿入部に挿入された前記治具の信号ラインの導電部を接触させる信号端子と、前記治具挿入部に前記治具が挿入されるときに前記信号ラインの導電部と前記信号端子とが接触するよりも先に前記グランドラインの導電部と接触するグランド端子とを少なくとも有することを特徴とするハードディスク装置。
【請求項２】
前記治具が前記接触部に電源ラインの導電部を有し、
前記実装基板は、前記治具挿入部に前記治具が挿入されるときに前記信号ラインの導電部と前記信号端子とが接触するよりも先、かつ、前記グランドラインの導電部と前記グランド端子とが接触するよりも後に前記電源ラインの導電部と接触する電源端子を有することを特徴とする請求項１に記載のハードディスク装置。
【手続補正１５】
【補正対象書類名】図面
【補正対象項目名】図２
【補正方法】変更
【補正の内容】
【図２】
2011008911.tif 000019